(57)【要約】【課題】音拡大機能付き置き台が携帯端末充電用の場合、内部部品との干渉もあり音響特性に関る設計の自由度が低い。音響特性に関る設計の自由度が高くなる音拡大機能付き携帯端末充電用置き台を提供する。【解決手段】充電用置き台１０は、携帯端末１のスピーカ４部の音孔５から放射される音の入口孔２５及び出口孔２６を設けると共に、入口孔２５に入射した音を出口孔２６まで伝播させる第一音響流路２７が内部に形成される置き台本体２０と、置き台本体２０に対し着脱自在に取付けられる音拡大装置３０とを有し、音拡大装置３０は、出口孔２６から放射される音を導入し外部に放射する第二音響流路３２を内部に形成し、第二音響流路３２が、出口孔２６から導入した音を増幅し外部に放射する先広がりのホーン形状に形成されている。【選択図】図２
2014211559.tif 000002
【特許請求の範囲】
【請求項１】
携帯端末のスピーカ部の音孔から放射される音の入口孔及び出口孔を設けると共に、上記入口孔に入射した音を上記出口孔まで伝播させる第一音響流路が内部に形成される置き台本体と、該置き台本体に対し着脱自在に取付けられる音拡大装置とを有し、該音拡大装置は、上記出口孔から放射される音を導入し外部に放射する第二音響流路を内部に形成し、該第二音響流路が、上記出口孔から導入した音を増幅し外部に放射する先広がりのホーン形状に形成されていることを特徴とする音拡大機能付き携帯端末充電用置き台。
【請求項２】
上記携帯端末の背面に上記スピーカ部の音孔が設けられており、上記置き台本体は、上記携帯端末を背面側から保持するホルダ部を設け、該ホルダ部の上記携帯端末の背面と向き合う面に上記入口孔を設ける一方、上記出口孔は上記置き台本体の底面に設け、上記音拡大装置は、上記置き台本体の底面に着脱自在に取付け、上記第二音響流路は、上記置き台本体の底面の面方向に沿って形成され、上記面方向に音を放射する請求項１に記載の音拡大機能付き携帯端末充電用置き台。
【発明の詳細な説明】
【技術分野】
【０００１】
本発明は、携帯端末のスピーカ部から発せられる音を電気エネルギーを使用することなく増幅することができる音拡大機能付き携帯端末充電用置き台に関するものである。
【背景技術】
【０００２】
スマートフォン（携帯電話）やタブレット端末（情報端末）等の置き台として、音拡大機能付きのものがある。
【０００３】
例えば特許文献１、２に開示された置き台は、音響箱の上面に設けられた長穴に携帯端末の下端部を保持させ、長穴の底部に形成された連通孔に携帯端末のスピーカ音が入力される。入力されたスピーカ音は、箱内に形成されているホーンの形をした導波路を通って増幅される。増幅されたスピーカ音は、正面開口部から放射される。
【先行技術文献】
【特許文献】
【０００４】
【特許文献１】意匠登録第１４２９３８３号公報
【特許文献２】特開２０１２−１７５２５５号公報
【発明の概要】
【発明が解決しようとする課題】
【０００５】
上記従来の置き台では、箱内に収容される部品が無いため音響特性に関る設計の自由度が高い。しかし置き台が携帯端末充電用の場合、内部部品との干渉もあり設計の自由度が低く、十分な音響特性を得にくい。
【０００６】
本発明は、音響特性に関る設計の自由度が高くなる音拡大機能付き携帯端末充電用置き台を提供することを目的としている。
【課題を解決するための手段】
【０００７】
上記課題を解決する手段としての本発明に係る音拡大機能付き携帯端末充電用置き台の構成は、携帯端末のスピーカ部の音孔から放射される音の入口孔及び出口孔を設けると共に、上記入口孔に入射した音を上記出口孔まで伝播させる第一音響流路が内部に形成される置き台本体と、該置き台本体に対し着脱自在に取付けられる音拡大装置とを有し、該音拡大装置は、上記出口孔から放射される音を導入し外部に放射する第二音響流路を内部に形成し、該第二音響流路が、上記出口孔から導入した音を増幅し外部に放射する先広がりのホーン形状に形成されていることを特徴とする音拡大機能付き携帯端末充電用置き台である。
【０００８】
上記本発明に係る音拡大機能付き携帯端末充電用置き台において、上記携帯端末の背面に上記スピーカ部の音孔が設けられている場合、上記置き台本体は、上記携帯端末を背面側から保持するホルダ部を設け、該ホルダ部の上記携帯端末の背面と向き合う面に上記入口孔を設ける一方、上記出口孔は上記置き台本体の底面に設け、上記音拡大装置は、上記置き台本体の底面に着脱自在に取付け、上記第二音響流路は、上記置き台本体の底面の面方向に沿って形成され、上記面方向に音を放射することが好ましい。
【発明の効果】
【０００９】
本発明によれば、置き台本体の内部に形成される第一音響流路は単純な形状にすることができ、置き台本体の内部部品との干渉を最小限に抑えることができ、音拡大装置の側に形成されている第二音響流路によって音拡大機能を担うことができるため、音響特性に関る設計上の自由度が高くなる。
【図面の簡単な説明】
【００１０】
【図１】本発明の実施の形態による音拡大機能付き携帯端末充電用置き台の正面図である。
【図２】図１のＡ−Ａ断面図である。
【図３】音拡大装置の平面図である。
【図４】本発明の実施の形態による音拡大機能付き携帯端末充電用置き台の周波数特性と比較例の携帯端末充電用置き台の周波数特性とを示す周波数特性比較図である。
【発明を実施するための形態】
【００１１】
以下、本発明の実施の形態による音拡大機能付き携帯端末充電用置き台を図面に基づいて説明する。
【００１２】
図１は、本発明の実施の形態による音拡大機能付き携帯端末充電用置き台（以下、単に「充電用置き台」という。）の正面図、図２は、図１のＡ−Ａ断面図である。
【００１３】
［携帯端末］
充電用置き台１０の対象機である携帯端末１は、図１，図２に示すように、スマートフォン又はタブレット端末である。携帯端末１の正面には、タッチ操作部を兼ねる表示画面２が設けられている。また、携帯端末１の背面には、充電用端子３が設けられている。さらに、携帯端末１の背面には、携帯端末１に内蔵のスピーカ４部から発せられる音を外部に放射するための音孔５が設けられている。
【００１４】
［充電用置き台］
このような携帯端末１を対象機とする充電用置き台１０は、図１，図２に示すように、置き台本体２０と、この置き台本体２０とは独立し、アタッチメント化された音拡大装置３０とを有している。
【００１５】
［置き台本体］
図１，図２に示すように、置き台本体２０は、携帯端末１を机の上等に傾斜状に立て掛けた状態で保持するものである。置き台本体２０の下部には、置き台本体２０が机の上等に安定して載置できるように、置き台本体２０の平らな底面２１ａを有するベース部２１が形成されている。また、置き台本体２０の上部には、ベース部２１の上部から斜め後上方に向けて延出されたホルダ部２２が形成されている。さらに、このホルダ部２２の正面側に携帯端末１の収容凹部２３が形成されている。携帯端末１は、この収容凹部２３に表示画面２を正面にして嵌合されることで、ホルダ部２２により背面側から保持され、ホルダ部２２の正面側に装着固定される。
【００１６】
［充電機能］
図１，図２に示すように、置き台本体２０では、携帯端末１装着時、携帯端末１の背面と向き合う収容凹部２３の底面２３ａに、携帯端末１の装着に伴い充電用端子３と接触するように給電端子２４が露出して設けられている。また、置き台本体２０の内部には、給電端子２４の他、ＡＣアダプタのコネクタプラグを接続するコネクタソケット、その他の電子・電気部品、これらを実装する基板等の図示しない内部部品が収容されている。この置き台本体２０は、商用電源等に接続されたＡＣアダプタのコネクタプラグがコネクタソケットに接続されることにより、携帯端末１装着時、基板、給電端子２４を経由して、充電用端子３に電源電圧を供給し、携帯端末１に内蔵の図示しない二次電池を充電することができる。
【００１７】
［置き台本体側音響流路］
図１，図２に示すように、置き台本体２０では、携帯端末１装着時、携帯端末１の背面と向き合う収容凹部２３の底面２３ａに、携帯端末１の装着に伴い音孔５と対向するように音の入口孔２５が設けられている。また、置き台本体２０の底面２１ａには、音の出口孔２６が設けられている。さらに、置き台本体２０の内部には、一端を入口孔２５に接続し他端を出口孔２６に接続する音響ダクトからなり、入口孔２５から内部部品との干渉を回避しながら出口孔２６まで音を伝播させる第一音響流路２７が形成されている。この置き台本体２０は、携帯端末１装着時、携帯端末１の音孔５から放射される音を、携帯端末１の背面と向き合う収容凹部２３の底面２３ａで反射することなく、その底面２３ａに設けられた入口孔２５から内部の第一音響流路２７に入射させ、置き台本体２０の底面２１ａに設けられた出口孔２６から、そのまま、放射することができる。
【００１８】
また、置き台本体２０では、携帯端末１装着時、携帯端末１の背面と向き合う収容凹部２３の底面２３ａに、入口孔２５を取り囲むように、シリコンゴム等の弾性材料からなる環状のパッキン２８が貼着されている。この置き台本体２０は、携帯端末１装着時、携帯端末１の背面をパッキン２８に密着させ、携帯端末１の音孔５から放射される音を殆ど漏れなく確実に入口孔２５から第一音響流路２７に入射させることができる。
【００１９】
以上のように構成された置き台本体２０は、例えばＡＢＳ等の樹脂材料からなる図示しないフロントケース（本体ケース）とリヤケース（カバーケース）の割り構造としておき、フロントケースに対し、基板等の内部部品と共に音響ダクト（第一音響流路２７）を組付け、最後にリヤケースをビス止め等で固定することで組立てることができる。音響ダクトには、剛性のものだけでなく、可撓性を有するものも使用することができる。
【００２０】
［音拡大装置］
図１，図２に示すように、音拡大装置３０は、例えばＡＢＳ等の樹脂材料からなり板状部材からなり、置き台本体２０の底面２１ａ形状に対応する形状の平らな上面（天面）３０ａ及び平らな下面（底面）３０ｂを有している。また、音拡大装置３０の上面３０ａの外周縁部には、そこを後述する流路出口３２ｂに対応する区間を除いて上面３０ａより一段下げるような段差面３０ｃが形成されている。一方、置き台本体２０の底面２１ａの外周縁部には、そこから後述する流路出口３２ｂに対応する区間を除いて下向きに突出する縁枠部２１ｂが形成されている。この音拡大装置３０は、音拡大装置３０の上面３０ａが置き台本体２０の底面２１ａに密着するように、置き台本体２０の底面２１ａに重ね合わされ、音拡大装置３０側の段差面３０ｃと置き台本体２０側の縁枠部２１ｂとが嵌合されることで、置き台本体２０の底面２１ａに着脱可能に取り付けられ、必要に応じて取付け／取外しすることができる。
【００２１】
図３は、音拡大装置の平面図である。
【００２２】
［音拡大機能］
図３に示すように、音拡大装置３０の上面３０ａには、第二音響流路形成溝３１が形成されている。この第二音響流路形成溝３１は、音拡大装置３０装着時、置き台本体２０の底面２１ａによって上部開口が塞がれると、音拡大装置３０の内部に、置き台本体２０の底面２１ａに設けられた出口孔２６から放射される音を入射させ増幅（拡大）して外部に放射する第二音響流路３２となるものである。
【００２３】
また、第二音響流路形成溝３１は、音拡大装置３０装着時、置き台本体２０の底面２１ａに設けられた出口孔２６の真下に位置する袋小路状の閉じた端部と、置き台本体２０のベース部２１の正面のさらに下側に広がる音拡大装置３０の正面で開いた端部とを有し、これら閉じた端部から開いた端部に亘り、置き台本体２０の底面２１ａの面方向に沿って形成されている。この第二音響流路形成溝３１は、音拡大装置３０装着時、閉じた端部が、第二音響流路３２において置き台本体２０の底面２１ａに設けられた出口孔２６から放射される音が入射する流路入口３２ａとなり、開いた端部が、第二音響流路３２において増幅された音を置き台本体２０の底面２１ａの面方向で、かつ置き台本体２０に装着された携帯端末１の表示画面２が向く方面、つまりユーザ方面に向けて放射する流路出口３２ｂとなる。
【００２４】
また、第二音響流路形成溝３１は、音拡大装置３０装着時、第二音響流路３２の流路入口３２ａを最上流とする上流部分に、断面積が一定で変化しない通常タイプ又は断面積が一定でなく変化（連続的に大きくなる）する先広がり形状のテーパ付きタイプの共鳴管部３２ｃを形成すると共に、第二音響流路３２の流路出口３２ｂを最下流とする下流部分に、テーパ付きタイプの共鳴管部３２ｃよりも広がり具合が大きい先広がり形状のホーン部３２ｄを形成するような溝形状に形成されている。これにより、第二音響流路３２では、共鳴管部３２ｃの共鳴（共振）効果とホーン部３２ｄのホーン効果によって、置き台本体２０に装着された携帯端末１の音孔５から放射される音を増幅するようにする。なお、第二音響流路形成溝３１は、音拡大装置３０装着時、第二音響流路３２の流路入口３２ａから流路出口３２ｂにかけて断面積が変化（連続的に大きくなる）する先広がり形状のホーンを形成するような溝形状に形成されていてもよい。この場合、第二音響流路３２では、ホーン効果によって、置き台本体２０に装着された携帯端末１の音孔５から放射される音を増幅するようになる。
【００２５】
［作用効果］
以上、充電用置き台１０は、携帯端末１のスピーカ４部の音孔５から放射される音の入口孔２５及び出口孔２６を設けると共に、入口孔２５に入射した音を出口孔２６まで伝播させる第一音響流路２７が内部に形成される置き台本体２０と、置き台本体２０に対し着脱自在に取付けられる音拡大装置３０とを有し、音拡大装置３０は、出口孔２６から放射される音を導入し外部に放射する第二音響流路３２を内部に形成し、第二音響流路３２が、出口孔２６から導入した音を増幅し外部に放射する先広がりのホーン形状に形成されていることから、置き台本体２０の内部に形成される第一音響流路２７は単純な形状にすることができ、置き台本体２０の内部部品との干渉を最小限に抑えることができ、音拡大装置３０の側に形成されている第二音響流路３２によって音拡大機能を担うことができるため、音響特性に関る設計上の自由度が高くなる。その結果、十分な音響特性を得られるようになる。
【００２６】
また、充電用置き台１０の音響特性について、実測で確認している。図４は、本発明の実施の形態による音拡大機能付き携帯端末充電用置き台（図１，図２に示す音拡大装置３０装着状態のもの）の周波数特性と比較例の携帯端末充電用置き台の周波数特性とを示す周波数特性比較図である（測定条件：無音響箱内・携帯端末１前方１００ｍｍ）（測定信号：ピンクノイズ）。比較例の携帯端末充電用置き台には、入口孔２５及び出口孔２６，第一音響流路２７，パッキン２８を設けていない置き台本体２０を使用した。
【００２７】
図４から、充電用置き台１０では、比較例の充電用置き台と比べ、１０００Ｈｚ〜１００００Ｈｚまでの帯域において携帯端末１のスピーカ４部の音孔５から放射される音の増幅効果を確認できる。
【００２８】
また、充電用置き台１０では、携帯端末１の正面に表示画面２が設けられ、携帯端末１の背面にスピーカ４部の音孔５が設けられており、置き台本体２０は、携帯端末１を背面側から保持するホルダ部２２を設け、ホルダ部２２の携帯端末１の背面と向き合う面２３ａに入口孔２５を設ける一方、出口孔２６は置き台本体２０の底面２１ａに設け、音拡大装置３０は、置き台本体２０の底面２１ａに着脱自在に取付け、第二音響流路３２は、置き台本体２０の底面２１ａの面方向に沿って形成され、その面方向に音を放射することから、音拡大装置３０を薄型に構成しながら、十分な音響特性を得られるようになる。
【００２９】
以上、本発明の実施の形態による充電用置き台１０を説明したが、本発明はそれに限定されるものではなく、特許請求の範囲に記載された発明の範囲内で適宜変更することができるものである。
【符号の説明】
【００３０】
１  携帯端末
４  スピーカ
５  音孔
１０  充電用置き台（音拡大機能付き携帯端末充電用置き台）
２０  置き台本体
２５  入口孔
２６  出口孔
２７  第一音響流路
３０  音拡大装置
３２  第二音響流路
３２ｄ  ホーン部
【図１】
2014211559.tif 000003
【図２】
2014211559.tif 000004
【図３】
2014211559.tif 000005
【図４】
2014211559.tif 000006